(57)【要約】【課題】経年変化による輝度及び色度の発光むらを抑えることができるバックライト装置及び該バックライト装置を備えた映像表示装置を提供する。【解決手段】複数の発光部１３ａ，…が並設されているバックライト装置に、所定輝度信号及び所定色度信号にて発光した各発光部１３ａ，…の輝度及び色度を記憶する記憶部１４と、各発光部１３ａ，…を前記所定輝度信号及び所定色度信号にて発光させ、前記所定輝度信号及び所定色度信号にて発光した各発光部１３ａ，…の輝度を輝度検出部１５にて検出し、前記所定輝度信号及び所定色度信号にて発光した各発光部１３ａ，…の色度を色度検出部１６にて検出し、検出された各発光部１３ａ，…の輝度及び色度、並びに記憶部１４が記憶している輝度及び色度を比較し、比較結果に応じて輝度信号及び色度信号を補正する発光むら補正演算部１１とを備える。【選択図】図１
2008117713.tif 000002
【特許請求の範囲】
【請求項１】
複数の発光部が並設されており、該複数の発光部夫々の輝度を示す輝度信号に応じて各発光部を発光させるようにしてあるバックライト装置において、
所定輝度信号にて発光した各発光部の輝度を記憶する記憶手段と、
各発光部を前記所定輝度信号にて発光させる駆動手段と、
前記所定輝度信号にて発光した各発光部の輝度を検出する輝度検出手段と、
該輝度検出手段が検出した各発光部の輝度及び前記記憶手段が記憶している輝度を比較する輝度比較手段と、
該輝度比較手段の比較結果に応じて前記輝度信号を増加させる手段と
を備えることを特徴とするバックライト装置。
【請求項２】
前記駆動手段は、
前記所定輝度信号にて各発光部を個別に発光させるようにしてある
ことを特徴とする請求項１に記載のバックライト装置。
【請求項３】
複数の発光部が並設されており、該複数の発光部夫々の輝度を示す輝度信号及び色度を示す色度信号に応じて各発光部を発光させるようにしてあるバックライト装置において、
所定輝度信号及び所定色度信号にて発光した各発光部の輝度及び色度を記憶する記憶手段と、
各発光部を前記所定輝度信号及び所定色度信号にて発光させる駆動手段と、
前記所定輝度信号及び所定色度信号にて発光した各発光部の輝度を検出する輝度検出手段と、
前記所定輝度信号及び所定色度信号にて発光した各発光部の色度を検出する色度検出手段と、
前記輝度検出手段が検出した各発光部の輝度及び前記記憶手段が記憶している輝度を比較する輝度比較手段と、
前記色度検出手段が検出した各発光部の色度及び前記記憶手段が記憶している色度を比較する色度比較手段と、
前記輝度比較手段の比較結果に応じて前記輝度信号を増加させ、前記色度比較手段の比較結果に応じて前記色度信号を増減させる手段と
を備えることを特徴とするバックライト装置。
【請求項４】
前記駆動手段は、
前記所定輝度信号及び所定色度信号にて各発光部を個別に発光させるようにしてある
ことを特徴とする請求項３に記載のバックライト装置。
【請求項５】
前記比較結果を記憶する手段を備える
ことを特徴とする請求項１乃至請求項４のいずれか一つに記載のバックライト装置。
【請求項６】
映像を表示する映像表示パネルと、
請求項１乃至請求項５のいずれか一つに記載のバックライト装置と
を備え、
前記バックライト装置は、前記映像表示パネルを照明するようにしてある
ことを特徴とする映像表示装置。
【発明の詳細な説明】
【技術分野】
【０００１】
本発明は、複数の発光部が並設されており、輝度信号に応じて各発光部を異なる輝度で発光させるようにしてあるバックライト装置、又は輝度信号及び色度信号に応じて各発光部を発光させるようにしてあるバックライト装置及び該バックライト装置を備えた映像表示装置に関する。
【背景技術】
【０００２】
液晶パネル及びバックライト装置を備えた映像表示装置が実用化されている。また、液晶パネルを背面側から照明するエリアライト方式のＬＥＤ（Light Emitting Diode）バックライト装置を備え、並設された各白色発光ダイオードの輝度を、映像信号に応じてエリア毎に変調させるように構成した映像表示装置が提案されている（例えば、特許文献１）。
【０００３】
特許文献１に係る映像表示装置によれば、映像信号を変調せずに、白色発光ダイオードの輝度を変調させる構成であるため、階調不良による映像の劣化を招くことなく映像のコントラストを向上させることができる。
【０００４】
一方、製造ばらつきを有する各白色発光ダイオードの輝度を微調整すべく、輝度検出部を備え、輝度検出部の検出結果に基づいて各白色発光ダイオードの順電流をパルス幅変調するように構成した映像表示装置が提案されている。
白色発光ダイオードの輝度は、単位時間当たりに流れる順電流に応じて高低するため、順電流をパルス幅変調することで、輝度を微調整することができる。
【０００５】
また、製造ばらつきを有する各白色発光ダイオードの色度を微調整すべく、色度検出部を備え、色度検出部の検出結果に基づいて白色発光ダイオードを流れる瞬間電流を増減させるように構成した映像表示装置が提案されている。
白色発光ダイオードの色度は、瞬間電流に応じて変化するため、瞬間電流を増減させることで、色度を微調整することができる。
【特許文献１】特開２００６−３０５８８号公報
【発明の開示】
【発明が解決しようとする課題】
【０００６】
しかしながら、各白色発光ダイオードの輝度及び色度のばらつきが経年変化によって拡大した場合、輝度又は色度のばらつきを補正できず、発光むらが生ずるという問題があった。
【０００７】
なお、映像表示装置に発光むらが生じた場合、外部装置を使用して映像表示面の輝度、色度等を測定し、測定結果に基づいて映像表示装置の発光むらを事後的に補正していた。
【０００８】
本発明は、斯かる事情に鑑みてなされたものであり、所定時点、例えば出荷の際に、所定輝度信号にて発光させた各発光部の輝度を記憶させておき、出荷後に前記所定輝度信号にて発光させた各発光部の輝度と、前記所定時点における輝度とを比較し、比較結果に応じて各発光部の輝度を示す輝度信号を補正するように構成することにより、経年変化による輝度の発光むらを抑えることができるバックライト装置及び該バックライト装置を備えた映像表示装置を提供することを目的とする。
【０００９】
本発明の他の目的は、各発光部を個別に発光させて、輝度を正確に比較するように構成することにより、経年変化による輝度の発光むらをより効果的に抑えることができるバックライト装置及び該バックライト装置を備えた映像表示装置を提供することにある。
【００１０】
本発明の他の目的は、所定時点、例えば出荷の際に、所定輝度信号及び所定色度信号にて発光させた各発光部の輝度及び色度を記憶させておき、出荷後に前記所定輝度信号及び所定色度信号にて発光させた各発光部の輝度及び色度と、前記所定時点における輝度及び色度とを比較し、比較結果に応じて各発光部の輝度を示す輝度信号及び色度を示す色度信号を補正するように構成することにより、経年変化による輝度及び色度の発光むらを抑えることができるバックライト装置及び該バックライト装置を備えた映像表示装置を提供することにある。
【００１１】
本発明の他の目的は、各発光部を個別に発光させて、輝度及び色度を正確に比較するように構成することにより、経年変化による輝度及び色度の発光むらをより効果的に抑えることができるバックライト装置及び該バックライト装置を備えた映像表示装置を提供することにある。
【００１２】
本発明の他の目的は、輝度の比較結果、又は輝度及び色度の比較結果を記憶するように構成することにより、電源が遮断された場合であっても比較結果を保持して、輝度及び色度の検出並びに比較処理を省くことができ、保持された比較結果に基づいて発光むらを抑えることができるバックライト装置及び該バックライト装置を備えた映像表示装置を提供することにある。
【課題を解決するための手段】
【００１３】
本発明に係るバックライト装置は、複数の発光部が並設されており、該複数の発光部夫々の輝度を示す輝度信号に応じて各発光部を発光させるようにしてあるバックライト装置において、所定輝度信号にて発光した各発光部の輝度を記憶する記憶手段と、各発光部を前記所定輝度信号にて発光させる駆動手段と、前記所定輝度信号にて発光した各発光部の輝度を検出する輝度検出手段と、該輝度検出手段が検出した各発光部の輝度及び前記記憶手段が記憶している輝度を比較する輝度比較手段と、該輝度比較手段の比較結果に応じて前記輝度信号を増加させる手段とを備えることを特徴とする。
【００１４】
本発明に係るバックライト装置は、前記駆動手段は、前記所定輝度信号にて各発光部を個別に発光させるようにしてあることを特徴とする。
【００１５】
本発明に係るバックライト装置は、複数の発光部が並設されており、該複数の発光部夫々の輝度を示す輝度信号及び色度を示す色度信号に応じて各発光部を発光させるようにしてあるバックライト装置において、所定輝度信号及び所定色度信号にて発光した各発光部の輝度及び色度を記憶する記憶手段と、各発光部を前記所定輝度信号及び所定色度信号にて発光させる駆動手段と、前記所定輝度信号及び所定色度信号にて発光した各発光部の輝度を検出する輝度検出手段と、前記所定輝度信号及び所定色度信号にて発光した各発光部の色度を検出する色度検出手段と、前記輝度検出手段が検出した各発光部の輝度及び前記記憶手段が記憶している輝度を比較する輝度比較手段と、前記色度検出手段が検出した各発光部の色度及び前記記憶手段が記憶している色度を比較する色度比較手段と、前記輝度比較手段の比較結果に応じて前記輝度信号を増加させ、前記色度比較手段の比較結果に応じて前記色度信号を増減させる手段とを備えることを特徴とする。
【００１６】
本発明に係るバックライト装置は、前記駆動手段は、前記所定輝度信号及び所定色度信号にて各発光部を個別に発光させるようにしてあることを特徴とする。
【００１７】
本発明に係るバックライト装置は、前記比較結果を記憶する手段を備えることを特徴とする。
【００１８】
本発明に係る映像表示装置は、映像を表示する映像表示パネルと、上述のいずれか一つのバックライト装置とを備え、前記バックライト装置は、前記映像表示パネルを照明するようにしてあることを特徴とする。
【００１９】
本発明にあっては、記憶手段は、所定輝度信号にて発光した各発光部の輝度を記憶する。例えば記憶手段は、出荷時に所定輝度信号にて発光した各発光部の輝度を記憶する。駆動手段は、前記所定輝度信号にて各発光部を発光させ、輝度検出手段は、該発光部の輝度を検出する。次いで、輝度比較手段は、輝度検出手段が検出した輝度と、記憶手段が記憶している輝度とを比較する。同一の所定輝度信号にて発光部を発光させた場合であっても、発光部の輝度は経年変化によって低下するところ、輝度比較手段の比較結果は、各発光部の経年変化による輝度の変化量を示している。次いで、バックライト装置は、前記比較結果に基づいて輝度信号を増加させる。
従って、経年変化による輝度の低下を抑えるように輝度信号を増加させることができ、経年変化による輝度の発光むらを補正することができる。
また、前記バックライト装置にて映像表示パネルを照明するように構成した映像表示装置にあっては、映像の色むらを防止することができる。
【００２０】
本発明にあっては、駆動手段は各発光部を個別に発光させ、輝度検出手段は個別に発光した各発光部の輝度を検出する。従って、一の発光部の光と他の発光部の光が混合する虞はなく、輝度検出手段は、各発光部の輝度をより正確に検出することができる。
よって、より正確に各発光部の経年変化による輝度の発光むらを補正することができる。
【００２１】
本発明にあっては、記憶手段は、所定輝度信号及び所定色度信号にて発光した各発光部の輝度及び色度を記憶する。例えば記憶手段は、出荷時に所定輝度信号及び所定色度信号にて発光した各発光部の輝度及び色度を記憶する。駆動手段は、前記所定輝度信号及び所定色度信号にて各発光部を発光させ、輝度検出手段は該発光部の輝度を検出し、色度検出手段は前記発光部の色度を検出する。次いで、輝度比較手段は、輝度検出手段が検出した輝度と、記憶手段が記憶している輝度とを比較し、色度比較手段は色度検出手段が検出した色度と、記憶手段が記憶している色度とを比較する。輝度比較手段及び色度比較手段の比較結果は、発光部の経年変化による輝度及び色度の変化量を示している。次いで、バックライト装置は、前記比較結果に基づいて輝度信号及び色度信号を増減させる。
従って、経年変化による輝度の低下及び色度の変化を抑えるように輝度信号を増加させ、色度を増減させることができ、経年変化による輝度及び色度の発光むらを補正することができる。
また、前記バックライト装置にて映像表示パネルを照明するように構成した映像表示装置にあっては、映像の色むらを防止することができる。
【００２２】
本発明にあっては、駆動手段は各発光部を個別に発光させ、輝度検出手段及び色度検出手段は個別に発光した各発光部の輝度及び色度を検出する。従って、一の発光部の光と他の発光部の光が混合する虞はなく、各発光部の輝度及び色度をより正確に検出することができる。
よって、より正確に各発光部の経年変化による輝度及び色度の発光むらを補正することができる。
【００２３】
本発明にあっては、バックライト装置は、輝度比較手段の比較結果、又は輝度比較手段及び色度比較手段の比較結果を記憶する。従って、比較結果を記憶した後は、輝度を検出及び比較する処理並びに色度を検出及び比較する処理を省いて、輝度信号、又は輝度信号及び色度信号を増減させ、経年変化による輝度、又は輝度及び色度の発光むらを補正することができる。
【発明の効果】
【００２４】
本発明によれば、経年変化による各発光部の輝度の発光むらを抑えることができる。
【００２５】
本発明によれば、各発光部を個別に発光させて、輝度を比較するように構成することにより、経年変化による輝度の発光むらをより効果的に抑えることができる。
【００２６】
本発明によれば、経年変化による各発光部の輝度及び色度の発光むらを抑えることができる。
【００２７】
本発明によれば、各発光部を個別に発光させて、輝度及び色度を比較するように構成することにより、経年変化による輝度及び色度の発光むらをより効果的に抑えることができる。
【００２８】
本発明によれば、電源が遮断された場合であっても比較結果を保持し、輝度及び色度の検出及び比較処理を省くことができ、保持された比較結果に基づいて発光むらを抑えることができる。
【発明を実施するための最良の形態】
【００２９】
以下、本発明をその実施の形態を示す図面に基づいて詳述する。
（実施の形態１）
図１は、本発明の実施の形態１に係るＬＥＤバックライト装置の構成を示すブロック図である。図中１は、本発明の実施の形態１に係るエリアライト方式のＬＥＤバックライト装置であり、ＬＥＤバックライト装置１は、図示しない透過型の映像表示パネルの背面側に配されるＬＥＤマトリクスアレイ１３、ＬＥＤ制御部１０、発光むら補正演算部１１、記憶部１４、ＬＥＤ駆動部１２、輝度検出部１５及び色度検出部１６を備えている。
【００３０】
図２は、ＬＥＤマトリクスアレイ１３を模式的に示す正面図である。
ＬＥＤマトリクスアレイ１３は、縦横に並設された第１乃至第Ｎ発光部１３ａ，…を備えている（但し、Ｎは２以上の自然数）。第１乃至第Ｎ発光部１３ａ，…は、夫々複数の白色発光ダイオードを備えており、第１乃至第Ｎ発光部１３ａ，…には、ＬＥＤ駆動部１２が接続されている。
【００３１】
また、各発光部１３ａ，…の背面側には輝度を検出するための輝度検出部１５が配設されており、輝度検出部１５は、検出した輝度をＬＥＤ制御部１０及び発光むら補正演算部１１へ出力する。
更に、各発光部１３ａ，…の背面側には色度を検出するための色度検出部１６が配設されており、色度検出部１６は、検出した色度をＬＥＤ制御部１０及び発光むら補正演算部１１へ出力する。
【００３２】
ＬＥＤ駆動部１２は、第１乃至第Ｎ発光部１３ａ，…の順電流を夫々パルス幅変調することによって輝度を調整するためのスイッチングトランジスタ及び瞬間の順電流を増減させることによって色度を調整するための可変型定電流回路を備えており、白色発光ダイオード、可変型定電流回路及びスイッチングトランジスタは直列接続されている。具体的には、白色発光ダイオードのアノードは図示しない電源ラインに順方向接続され、白色発光ダイオードのカソードには可変型定電流回路の正極端が接続されている。可変型定電流回路の負極端にはスイッチングトランジスタのコレクタが接続され、エミッタは接地されている。また、スイッチングトランジスタのベースにはＰＷＭ（Pulse Width Modulation）回路が接続されている。
ＬＥＤ駆動部１２のＰＷＭ回路及び可変型定電流回路には、発光むら補正演算部１１を介してＬＥＤ制御部１０が接続されており、ＰＷＭ回路及び可変型定電流回路は、ＬＥＤ駆動部１２は、発光むら補正演算部１１を介して与えられた信号に応じた輝度及び色度で各発光部１３ａ，…を発光させる。
【００３３】
ＬＥＤ制御部１０は、第１乃至第Ｎ発光部１３ａ，…の輝度を示す階調値Ｙ１〜ＹＮが外部入力されるように構成されている。階調値Ｙ１は、例えば１０ビットのデータであり、第１発光部１３ａの輝度を１０２４階調で示している。階調値Ｙ２〜ＹＮも同様のデータであり、第２乃至第Ｎ発光部１３ａ，…の輝度を１０２４階調で示している。ＬＥＤ制御部１０は入力された階調値Ｙ１〜ＹＮに応じた輝度信号Ｄ（Ｙ１），…，Ｄ（ＹＮ）及び色度信号Ｃ１，…，ＣＮを発光むら補正演算部１１に与える。
輝度信号Ｄ（Ｙ１）は、例えば階調値Ｙ１に係る輝度で第１発光部１３ａを発光させるためのデューティ比、つまりスイッチングトランジスタのオン時間及びオフ時間の比を示している。階調値Ｙ１の最大値には、輝度信号Ｄ（Ｙ１）＝０．８（８０％）が対応している。２０％の余裕を設けているのは、経年変化によって第１発光部１３ａの輝度が低下した場合に、輝度信号Ｄ（Ｙ１）を増加させることで発光むらを補正できるようにするためである。同様に輝度信号Ｄ（Ｙ２）〜Ｄ（ＹＮ）は、階調値Ｙ２〜ＹＮに係る輝度で第２乃至第Ｎ発光部１３ａ，…を発光させるためのデューティ比を示している。
色度信号Ｃ１，…，ＣＮは、第１乃至第Ｎ発光部１３ａ，…を白色で発光させるための電流値を示している。色度信号Ｃ１，…，ＣＮは、例えば６ビットのデータであり、第１乃至第Ｎ発光部１３ａ，…の色度を６４段階で示している。
なお、階調値Ｙ１〜ＹＮと輝度信号Ｄ（Ｙ１），…，Ｄ（ＹＮ）との関係、及び色度信号Ｃ１，…，ＣＮは、ＬＥＤ制御部１０が記憶している。
【００３４】
また、ＬＥＤ制御部１０は、輝度検出部１５及び色度検出部１６の検出結果に基づいて、第１乃至第Ｎ発光部１３ａ，…の輝度及び色度をフィードバック制御するように構成されている。
【００３５】
発光むら補正演算部１１は、例えばマイクロコンピュータからなり、バスで接続されたＣＰＵ、ＲＯＭ、ＲＡＭ、入出力部等を備えている。入出力部には、ＬＥＤ制御部１０から輝度信号Ｄ（Ｙ１），…，Ｄ（ＹＮ）及び色度信号Ｃ１，…，ＣＮが入力するように構成されている。ＲＯＭは、第１乃至第Ｎ発光部１３ａ，…の経年変化による発光むらを抑えるためのコンピュータプログラムを記憶している。ＣＰＵは、発光むらを抑えるべく、ＲＯＭから前記コンピュータプログラムをＲＡＭに読み出して実行することにより、入出力部に入力された輝度信号Ｄ（Ｙ１），…，Ｄ（ＹＮ）を輝度信号Ｄ’（Ｙ１），…，Ｄ’（ＹＮ）に夫々変換し、変換された輝度信号Ｄ’（Ｙ１），…，Ｄ’（ＹＮ）をＬＥＤ駆動部１２へ出力する。また、発光むら補正演算部１１は、色度信号Ｃ１，…，ＣＮを色度信号Ｃ１’，…，ＣＮ’に夫々変換し、変換された色度信号Ｃ１’，…，ＣＮ’をＬＥＤ駆動部１２へ出力する。
【００３６】
記憶部１４は、不揮発性の半導体メモリであり、初期輝度情報及び初期色度情報を記憶している。初期輝度情報は、所定時、例えば出荷時に第１乃至第Ｎ発光部１３ａ，…を所定輝度信号及び所定色度信号にて個別に発光させた場合に、輝度検出部１５が検出した輝度を示す情報である。同様に、初期色度情報は、所定時に第１乃至第Ｎ発光部１３ａ，…を所定輝度信号及び所定色度信号にて個別に発光させた場合に、色度検出部１６が検出した色度を示す情報である。所定輝度信号は、例えば最大階調値に対応する輝度信号である。
【００３７】
図３は、経年変化による第１乃至第Ｎ発光部１３ａ，…の発光むらを補正するための輝度補正量及び色度補正量の算出に係る発光むら補正演算部１１の処理手順を示すフローチャート、図４は、輝度補正量及び色度補正量の算出に係るＬＥＤマトリクスアレイ１３の発光の態様を模式的に示す正面図である。
【００３８】
輝度補正量及び色度補正量の算出を指示する制御信号が外部からＬＥＤバックライト装置１に入力した場合、発光むら補正演算部１１は、初期輝度情報及び初期色度情報を記憶部１４から読み出す（ステップＳ１１）。
なお、発光むらの補正の実行を指示する制御信号は、例えば映像表示装置のユーザメニュー中の発光むら補正ボタンが操作された場合、無信号時に輝度補正量及び色度補正量の算出に係る処理をスクリーンセイバーとして起動する場合、又は起動時の黒色映像を表示する場合にＬＥＤバックライト装置１に入力するように構成すると良い。
【００３９】
次いで、発光むら補正演算部１１は、第１乃至第Ｎ発光部１３ａ，…を消灯させる（ステップＳ１２）。そして、発光むら補正演算部１１は、第１乃至第Ｎ発光部１３ａ，…のいずれか一つを示すための変数ｉに１を設定する（ステップＳ１３）。
【００４０】
次いで、発光むら補正演算部１１は、図４に示すように、第ｉ発光部１３ａを所定輝度信号及び所定色度信号にて発光させる（ステップＳ１４）。例えば、デューティ比８０％に対応する所定輝度信号をＬＥＤ駆動部１２に与える。図４中、ハッチングを付した矩形部分は発光している第ｉ発光部１３ａを示しており、白色部分は消灯している他の第１乃至第Ｎ発光部１３ａ，…を示している。図４（ａ）は、変数ｉが１の場合に、第１発光部１３ａが所定輝度信号にて発光し、他の第２乃至第Ｎ発光部１３ａ，…が消灯している状態を示している。
【００４１】
そして、発光むら補正演算部１１は、輝度検出部１５にて第ｉ発光部１３ａの輝度を検出し（ステップＳ１５）、色度検出部１６にて第ｉ発光部１３ａの色度を検出する（ステップＳ１６）。
【００４２】
そして、発光むら補正演算部１１は、ステップＳ１１で読み出した初期輝度情報が示す輝度及びステップＳ１５で検出した輝度を比較することで、第ｉ発光部１３ａの経年変化によって低下した輝度差に相当する輝度補正量ΔＤｉを算出する（ステップＳ１７）。
【００４３】
図５は、輝度の経年変化を示すグラフである。縦軸は所定輝度信号及び所定色度信号にて発光させた第ｉ発光部１３ａの輝度を示している。なお、輝度はデューティ比１００％で発光させた場合を１００として換算してある。左側のバーは所定時、例えば出荷時における第ｉ発光部１３ａの輝度を示しており、右側のバーは経年変化後における第ｉ発光部１３ａの輝度を示している。経年変化した場合、図５に示すように同一の所定輝度信号及び所定色度信号にて第ｉ発光部１３ａを発光させた場合であっても輝度が低下する。そこで、ステップＳ１７では、低下した輝度分だけ輝度を増加させるための輝度補正量ΔＤｉを算出する。
【００４４】
次いで、発光むら補正演算部１１は、ステップＳ１１で読み出した初期色度情報が示す色度及びステップＳ１６で検出した色度を比較することで、第ｉ発光部１３ａの経年変化によって変化した色度差に相当する色度補正量ΔＣｉを算出する（ステップＳ１８）。
【００４５】
次いで、発光むら補正演算部１１は、ｉがＮであるか否かを判定する（ステップＳ１９）。ｉがＮでないと判定した場合（ステップＳ１９：ＮＯ）、発光むら補正演算部１１は、第ｉ発光部１３ａを消灯して（ステップＳ２０）、ｉに１を加算し（ステップＳ２１）、処理をステップＳ１４へ戻す。
【００４６】
変数ｉに１が順次加算されてステップＳ１４乃至ステップＳ１８の処理を実行した場合、図４（ｂ）に示すように、第１発光部１３ａから第Ｎ発光部１３ａ，…まで順次発光し、第１乃至第Ｎ発光部１３ａ，…の輝度及び色度を補正するための輝度補正量ΔＤ１〜ΔＤＮ及び色度補正量ΔＣ１〜ΔＣＮを得ることができる。
【００４７】
ｉがＮであると判定した場合（ステップＳ１９：ＹＥＳ）、発光むら補正演算部１１は、輝度補正量ΔＤ１〜ΔＤＮ及び色度補正量ΔＣ１〜ΔＣＮを記憶部１４に記憶させ（ステップＳ２２）、輝度補正量及び色度補正量の算出に係る処理を終える。
【００４８】
図６は、発光むらの補正に係る発光むら補正演算部１１の処理手順を示すフローチャートである。
発光を指示する制御信号がＬＥＤバックライト装置１に入力した場合、発光むら補正演算部１１は、記憶部１４から輝度補正量ΔＤ１〜ΔＤＮ及び色度補正量ΔＣ１〜ΔＣＮを読み出す（ステップＳ４１）。そして、発光むら補正演算部１１は、ＬＥＤ制御部１０から輝度信号Ｄ（Ｙ１），…，Ｄ（ＹＮ）及び色度信号Ｃ１，…，ＣＮを取得する（ステップＳ４２）。
【００４９】
次いで、発光むら補正演算部１１は、変数ｉに１を設定する（ステップＳ４３）。そして、発光むら補正演算部１１は、輝度信号Ｄ（Ｙｉ）に輝度補正量ΔＤｉを加算して得られる輝度信号Ｄ’（Ｙｉ）を算出する（ステップＳ４４）。次いで、発光むら補正演算部１１は、色度信号Ｃｉに色度補正量ΔＣｉを加算して得られる色度信号Ｃｉ’を算出する（ステップＳ４５）。
【００５０】
次いで、発光むら補正演算部１１は、ｉがＮであるか否かを判定する（ステップＳ４６）。ｉがＮでないと判定した場合（ステップＳ４６：ＮＯ）、発光むら補正演算部１１は、ｉに１を加算し（ステップＳ４７）、処理をステップＳ４４へ戻す。
【００５１】
ｉがＮであると判定した場合（ステップＳ４６：ＹＥＳ）、発光むら補正演算部１１は、輝度信号Ｄ’（Ｙ１），…，Ｄ’（ＹＮ）及び色度信号Ｃ１’，…，ＣＮ’をＬＥＤ駆動部１２へ出力する（ステップＳ４８）。
【００５２】
次いで、発光むら補正演算部１１は、消灯を指示する制御信号がＬＥＤバックライト装置１に入力したか否かを判定する（ステップＳ４９）。消灯を指示する制御信号がＬＥＤバックライト装置１に入力していないと判定した場合（ステップＳ４９：ＮＯ）、発光むら補正演算部１１は、処理をステップＳ４２へ戻す。消灯を指示する制御信号がＬＥＤバックライト装置１に入力したと判定した場合（ステップＳ４９：ＹＥＳ）、発光むら補正演算部１１は、発光むらの補正に係る処理を終える。
【００５３】
実施の形態１に係るＬＥＤバックライト装置１にあっては、所定時に所定輝度信号及び所定色度信号にて発光した第１乃至第Ｎ発光部１３ａ，…夫々の輝度及び色度を示す初期輝度情報及び初期色度情報を不揮発性の記憶部１４が記憶している。発光むら補正演算部１１は、所定時における第１乃至第Ｎ発光部１３ａ，…の輝度及び色度と、経年変化後に所定輝度信号及び所定色度信号にて発光した第１乃至第Ｎ発光部１３ａ，…の輝度及び色度とを比較することで、所定時と同等の輝度及び色度特性で発光させるための輝度補正量ΔＤ１〜ΔＤＮ及び色度補正量Ｃ１，…，ＣＮを算出し、該輝度補正量ΔＤ１〜ΔＤＮ及び色度補正量ΔＣ１〜ΔＣＮを記憶部１４に記憶させる。そして、発光むら補正演算部１１は、輝度信号Ｄ（Ｙ１），…，Ｄ（ＹＮ）及び色度信号Ｃ１，…，ＣＮで第１乃至第Ｎ発光部１３ａ，…を発光させる際、輝度補正量ΔＤ１〜ΔＤＮ及び色度補正量ΔＣ１〜ΔＣＮによって、第１乃至第Ｎ発光部１３ａ，…が所定時と同等の輝度及び色度特性で発光するように、輝度信号Ｄ（Ｙ１），…，Ｄ（ＹＮ）及び色度信号Ｃ１，…，ＣＮを補正する。
従って、経年変化による第１乃至第Ｎ発光部１３ａ，…の輝度及び色度の発光むらを抑えることができる。
【００５４】
また、各発光部１３ａ，…を個別に発光させて、輝度及び色度を正確に比較するように構成することにより、各発光部１３ａ，…の光が混合することを防ぎ、経年変化による輝度及び色度の発光むらをより効果的に防止することができる。
【００５５】
更に、輝度補正量ΔＤ１〜ΔＤＮ及び色度補正量ΔＣ１〜ΔＣＮを不揮発性の記憶部１４に記憶させることにより、電源が遮断された場合であっても輝度補正量ΔＤ１〜ΔＤＮ及び色度補正量ΔＣ１〜ΔＣＮを保持し、輝度及び色度の検出及び比較処理を省いて発光むらを抑えることができる。
【００５６】
なお、実施の形態１にあっては、複数の白色発光ダイオードからなる各発光部の輝度及び色度を補正するように構成してあるが、単一の白色発光ダイオードからなる各発光部の輝度及び色度を補正するように構成しても良い。
【００５７】
また、白色発光ダイオードからなる発光部の輝度及び色度を補正するように構成してあるが、複数の有色発光ダイオード、例えば赤色発光ダイオード、緑色発光ダイオード、青色発光ダイオードからなる発光部の輝度及び色度を補正するように構成しても良い。
更に、複数の有色発光ダイオード夫々の輝度を調整することにより、前記複数の有色発光ダイオードからなる発光部の輝度及び色度を補正するように構成しても良い。
【００５８】
更にまた、順電流をＰＷＭ制御することにより白色発光ダイオードの輝度を変更し、瞬間電流を増減させることにより色度を変更するように構成してあるが、各発光部の輝度及び色度を変更することができるのであれば、輝度及び色度の変更方法はこれに限定されない。
【００５９】
更にまた、各発光部を個別に発光させて輝度及び色度を補正するように構成してあるが、複数の第１乃至第Ｎ発光部を同時に発光させて輝度及び色度を検出し、輝度信号及び色度信号を補正するように構成しても良い。
【００６０】
更にまた、一定値の輝度補正量を用いて輝度信号を補正するように構成してあるが、輝度信号の関数である輝度補正量を算出して輝度信号を補正するように構成しても良い。例えば輝度補正量をΔＤ（Ｙｉ）＝α０＋α１×Ｙｉ＋…のような線形重回帰モデルで表し、α０，α１，…の最良不偏推定値を重回帰分析にて算出して、輝度補正量としても良い。このように構成した場合、第１乃至第Ｎ発光部の輝度特性を、より正確に所定時の輝度特性に補正することができる。色度補正量についても同様である。
【００６１】
（実施の形態２）
図７は、本発明の実施の形態２に係る映像表示装置の構成を示すブロック図である。実施の形態２に係る映像表示装置は、実施の形態１に係るＬＥＤバックライト装置１を有する映像表示ユニット３、受信処理ユニット２、スピーカ４、制御部５を備えており、第１乃至第Ｎ発光部１３ａ，…の輝度を映像に応じて変調させることで映像のコントラストを向上させることができ、しかもＬＥＤバックライト装置１の経年変化による発光むらを抑えることができるように構成されている。
【００６２】
制御部５は、ＣＰＵ、ＲＯＭ、ＲＡＭ等を備えたマイクロコンピュータからなり、制御部５には遠隔操作装置６ａから送信される赤外光の信号を受信する受信部６ｂが接続されている。制御部５は、受信部６ｂが受信した信号に応じて、受信処理ユニット２の各構成部の動作を制御するように構成されている。
【００６３】
受信処理ユニット２は、デジタルチューナ２１、復調部２２、分離部２３、ビデオデコーダ２４、音声デコーダ２５及びビデオデータ処理部２６を備えている。
【００６４】
デジタルチューナ２１は、アンテナＡで受信したＲＦ信号を増幅し、制御部５によって指定された特定チャンネルの信号を選択する。そして、デジタルチューナ２１は、選択した信号を復調部２２に与える。
【００６５】
デジタルチューナ２１から与えられた信号は、ＯＦＤＭ（Orthogonal Frequency Division Multiplexing）方式で変調されており、復調部２２は、前記信号を、ＭＰＥＧ２ＴＳ（Transport Stream）形式のストリームデータに復調し、復調したストリームデータを分離部２３に与える。
【００６６】
ＴＳ形式のストリームデータは、複数のパケットから構成されている。パケットは、番組の映像及び音声を構成する時系列順のビデオデータ及び音声データ等をパケット化したものであり、複数のパケットから、時系列順のビデオデータ及び音声データが復元される。
【００６７】
分離部２３は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部２３から与えられたビデオデータ及び音声データを夫々所定のタイミングでビデオデコーダ２４及び音声デコーダ２５に与える。
【００６８】
音声デコーダ２５は、音声バッファから与えられた音声データを、所定の圧縮伸張方式、例えばＡＡＣ（Advanced Audio Coding）の圧縮伸張方式に従って復調し、復調した音声データを、所定のタイミングでスピーカ４に与える。
【００６９】
スピーカ４は、音声デコーダ２５から与えられた音声データに基づいて、音声を出力する。
【００７０】
ビデオデコーダ２４は、ビデオバッファから与えらたビデオデータを、ＭＰＥＧ２の圧縮伸張方式に従って復調し、復調したビデオデータをビデオデータ処理部２６に与える。
【００７１】
ビデオデータ処理部２６は、ビデオデコーダ２４から与えられたビデオデータに各種エフェクト処理を実行し、エフェクト処理されたビデオデータを所定のタイミングで映像表示ユニット３に与える。
【００７２】
映像表示ユニット３は、液晶パネルコントローラ３１、液晶パネル駆動部３２、及び液晶パネル３３を備えており、液晶パネル３３の背面側にはＬＥＤバックライト装置１が配設されている。
【００７３】
液晶パネルコントローラ３１は、ビデオデータ処理部２６から与えられたビデオデータに基づいて、液晶パネル３３を駆動するためのＲＧＢ信号及び同期信号を生成し、生成したＲＧＢ信号及び同期信号を液晶パネル駆動部３２に与える。
また、液晶パネルコントローラ３１は、ビデオデータに基づいて、ＬＥＤマトリクスアレイ１３の第１乃至第Ｎ発光部１３ａ，…夫々の輝度を示す階調値Ｙ１〜ＹＮを生成し、生成した階調値Ｙ１〜ＹＮをＬＥＤバックライト装置１に与える。
【００７４】
更に、液晶パネルコントローラ３１は、ユーザメニュー中の発光むら補正ボタンが操作された場合、図示しない外部入力端子に信号が入力していない無信号時に輝度補正量及び色度補正量の算出に係る処理をスクリーンセイバーとして起動する場合、又は起動時の黒色映像を表示する場合に発光むらの補正の実行を指示する制御信号をＬＥＤバックライト装置１に与える。
【００７５】
液晶パネル３３は、アスペクト比が１６／９の略矩形の表示面を有している。液晶パネル３３は、スペーサを介して対向配置された略長方形の２枚のガラス基板、及び該ガラス基板に封入された液晶を備えている。正面側のガラス基板の内面には、画素を構成する複数のＲＧＢカラーフィルタが縦横に配列している。背面側のガラス基板の内面には、横方向の走査線及び縦方向の信号線がマトリクス状に配されており、走査線と信号線との交差部分には、各画素に対応した液晶部分に電圧を印可するためのアクティブ素子、例えばＴＦＴ（Thin Film Transistor）が設けられている。各ＴＦＴのゲート電極は走査線に接続され、ソース電極は信号線に接続されている。なお、各ガラス基板の外側には、ＴＦＴがオフの状態でバックライトの光が透過するように図示しない偏光フィルムが配されており、ノーマリーホワイトの液晶パネル３３が構成されている。
【００７６】
液晶パネル駆動部３２は、液晶パネル３３をアクティブマトリクス駆動するソースドライバ及びゲートドライバ等を有しており、ＲＧＢ信号及び同期信号に基づいて映像を液晶パネル３３に表示させる。
【００７７】
実施の形態２に係る映像表示装置にあっては、各発光部１３ａ，…の輝度を変調させることができ、画質を向上させることができる。
また、実施の形態１で説明したように、経年変化による各発光部１３ａ，…の発光むらを補正することができ、経年変化による画質の劣化を防ぐことができる。
【００７８】
なお、実施の形態２に係るＬＥＤバックライト装置の構成、作用及び効果は、実施の形態１に係るＬＥＤバックライト装置の構成、作用及び効果と同様であるため、対応する箇所には同様の符号を付してその詳細な説明を省略する。
【図面の簡単な説明】
【００７９】
【図１】本発明の実施の形態１に係るＬＥＤバックライト装置の構成を示すブロック図である。
【図２】ＬＥＤマトリクスアレイを模式的に示す正面図である。
【図３】経年変化による第１乃至第Ｎ発光部の発光むらを補正するための輝度補正量及び色度補正量の算出に係る発光むら補正演算部の処理手順を示すフローチャートである。
【図４】輝度補正量及び色度補正量の算出に係るＬＥＤマトリクスアレイの発光の態様を模式的に示す正面図である。
【図５】輝度の経年変化を示すグラフである。
【図６】発光むらの補正に係る発光むら補正演算部の処理手順を示すフローチャートである。
【図７】本発明の実施の形態２に係る映像表示装置の構成を示すブロック図である。
【符号の説明】
【００８０】
１  ＬＥＤバックライト装置
２  受信処理ユニット
３  映像表示ユニット
４  スピーカ
５  制御部
６ａ  遠隔操作装置
６ｂ  受信部
１０  ＬＥＤ制御部
１１  発光むら補正演算部
１２  ＬＥＤ駆動部
１３  ＬＥＤマトリクスアレイ
１３ａ  第１乃至第Ｎ発光部
１４  記憶部
１５  輝度検出部
１６  色度検出部
２１  デジタルチューナ
２２  復調部
２３  分離部
２４  ビデオデコーダ
２５  音声デコーダ
２６  ビデオデータ処理部
３１  液晶パネルコントローラ
３２  液晶パネル駆動部
３３  液晶パネル
Ａ  アンテナ
【図１】
2008117713.tif 000003
【図２】
2008117713.tif 000004
【図３】
2008117713.tif 000005
【図４】
2008117713.tif 000006
【図５】
2008117713.tif 000007
【図６】
2008117713.tif 000008
【図７】
2008117713.tif 000009